(57)【要約】【課題】ハンガー引戸の底部に設けられた装入部が装入される、床面に設けられた下溝にゴミや埃が溜まりやすく、掃き出すのが非常に困難である。【解決手段】下溝を、引戸の走行方向に沿う溝部を有する溝部材と、該溝部材の少なくとも一方の端部に連設され、溝部材の溝部に連通して溝部からのダストを受けるダスト受け部を有するダスト受け部材とで構成し、ダスト受け部材を床面に対して着脱自在とする。【選択図】  図３
0003110612.tif 000002
【実用新案登録請求の範囲】
【請求項１】
ハンガー引戸の底部に設けられた装入部が装入される、床面に設けられた下溝の構造であって、
該下溝は、引戸の走行方向に沿う溝部を有する溝部材と、該溝部材の少なくとも一方の端部に連設され、溝部材の溝部に連通して溝部からのダストを受けるダスト受け部を有するダスト受け部材とで構成されており、
該ダスト受け部材が床面に対して着脱自在であることを特徴とするハンガー引戸の下溝構造。
【請求項２】
上記ダスト受け部の底面の鉛直方向の高さが、溝部との接続方向からその反対方向に向かって低くなるように形成されていることを特徴とする請求項１に記載のハンガー引戸の下溝構造。
【請求項３】
上記溝部材が互いに平行な複数の溝部を有しており、上記ダスト受け部材のダスト受け部は、溝部材の全ての溝部に連通していることを特徴とする請求項１または請求項２に記載のハンガー引戸の下溝構造。
【請求項４】
床面に設けられた下溝に装入される装入部を備えたハンガー引戸であって、上記装入部には、下溝内に装入される装入ブラシが設けられており、ハンガー引戸を走行させた場合に該装入ブラシによって下溝内が掃き出されることを特徴とするハンガー引戸。
【請求項５】
請求項１〜３のいずれか１項に記載されている構造の下溝に装入される装入部を備えたハンガー引戸であって、上記装入部には、下溝内に装入される装入ブラシが設けられており、ハンガー引戸を走行させた場合に該装入ブラシによって下溝内が掃き出されることを特徴とするハンガー引戸。
【考案の詳細な説明】
【技術分野】
【０００１】
本発明は、上吊式のハンガー引戸の底部を受ける下溝の構造に関する。
【背景技術】
【０００２】
従来、スペースの有効活用化のために、開閉戸に代えて引戸が用いられることがあり、その引戸として、いわゆる上吊式の引戸であるハンガー引戸が知られている。ハンガー引戸では、下端に設けた戸車で動かすタイプの引戸が有していた、戸車の振動が床面に伝播したり、床面に落ちているゴミや埃等を戸車が巻き込んで引戸が円滑に動かなくなるといった問題が生じない。
【０００３】
このハンガー引戸では、引戸の横ぶれ（引戸の走行方向に対して垂直な方向へのぶれ）を防ぐため、引戸の走行方向に沿って床面に下溝を形成し、引戸の底部に、その床面の溝に装入される装入部を設ける構造が採用されている。
【考案の開示】
【考案が解決しようとする課題】
【０００４】
上記従来のハンガー引戸では、床面の下溝にゴミや埃（屋外の場合には砂や土等）が溜まるが、溝にある程度の深さがあるため、溜まったゴミ等を掃き出すのが非常に困難であるといった問題がある。
【０００５】
そこで本発明は、上記の問題点に鑑み、床面の下溝に溜まったゴミ等を容易に除去することができるハンガー引戸の下溝構造を提供することを課題とする。
【課題を解決するための手段】
【０００６】
上記課題を解決するために請求項１記載の発明は、ハンガー引戸の底部に設けられた装入部が装入される、床面に設けられた下溝の構造であって、該下溝は、引戸の走行方向に沿う溝部を有する溝部材と、該溝部材の両端に設けられ、溝部材の溝部に連通して溝部からのダストを受けるダスト受け部を有するダスト受け部材とで構成されており、該ダスト受け部材が床面に対して着脱自在であることを特徴としている。
【０００７】
請求項２に記載の発明は、請求項１に記載のハンガー引戸の下溝構造であって、上記ダスト受け部の底面の鉛直方向の高さが、溝部との接続方向からその反対方向に向かって低くなるように形成されていることを特徴としている。
【０００８】
請求項３に記載の発明は、請求項１または請求項２に記載のハンガー引戸の下溝構造であって、上記溝部材が互いに平行な複数の溝部を有しており、上記ダスト受け部材のダスト受け部は、溝部材の全ての溝部に連通していることを特徴としている。
【０００９】
請求項４に記載の発明は、床面に設けられた下溝に装入される装入部を備えたハンガー引戸であって、上記装入部には、下溝内に装入される装入ブラシが設けられており、ハンガー引戸を走行させた場合に該装入ブラシによって下溝内が掃き出されることを特徴としている。
【００１０】
請求項５に記載の発明は、請求項１〜３のいずれか１項に記載されている構造の下溝に装入される装入部を備えたハンガー引戸であって、上記装入部には、下溝内に装入される装入ブラシが設けられており、ハンガー引戸を走行させた場合に該装入ブラシによって下溝内が掃き出されることを特徴としている。
【考案の効果】
【００１１】
請求項１に記載の発明によれば、ダスト受け部材が溝部材の端部に連設されており、且つ床面に対して着脱自在に設けられているので、溝部材の溝部の中を箒等でダスト受け部材方向に掃き、ダスト受け部にゴミ等が溜まったところでダスト受け部材を床面から離脱させてそのゴミ等を廃棄することにより、容易に下溝に溜まったゴミ等を除去することができる。
【００１２】
請求項２に記載の発明によれば、ダスト受け部の底面の鉛直方向の高さが、溝部との接続方向からその反対方向に向かって低くなっているので、溝部材の溝部の中を箒等でダスト受け部材方向に掃き、ダスト受け部にゴミ等が溜まった場合に、そのゴミ等が溝部方向に逆流しにくい。
【００１３】
請求項３に記載の発明によれば、大型のハンガー引き戸のように、引き戸及び溝部が複数有る場合であっても、ダスト受け部材のダスト受け部が全ての溝部に連通しているので、ダスト受け部材を一度離脱させることにより全ての溝部のゴミ等を廃棄することができ、便利である。
【００１４】
請求項４に記載の発明によれば、ハンガー引戸の使用によって下溝内が掃き出されるので、別途清掃作業を行う必要がなく、便利である。
【００１５】
請求項５に記載の発明によれば、ハンガー引戸の使用によって溝部から掃き出されたゴミを、ダスト受け部材の離脱によって簡単に廃棄することができ、下溝の清掃が非常に簡単になる。
【考案を実施するための最良の形態】
【００１６】
以下、本発明を図示の実施の形態に基づいて説明する。
【００１７】
図１〜図３を参照して、１は、上吊式の引戸である引戸装置１であり、この引戸装置１は、レール部材２と、ハンガー引戸３と、溝部材４と、ダスト受け部材５とを備えている。このうち、溝部材４と、ダスト受け部材５により下溝が構成される。なお、本実施形態では、ハンガー引戸３の左側に、シャッターＳが設置されているが、本発明とは無関係なので説明を省略する。
【００１８】
レール部材２は、図２に示すように、床面Ｆに埋設されている埋設コンクリート部材６ａに固設されている支柱部材６ｂから側方に張り出しているブランケット部材６ｃの下面に、保持部材６ｄを介して取り付けられている。レール部材２は、ハンガー引戸３の走行方向に長手の四角筒状体の下面に、ハンガー引戸３の走行方向に長手の開口２ａを形成したものである。これにより、レール部材２内に後述するハンガー引戸３の吊車３ｂが支持されて回転可能となる。本実施形態では、３つのハンガー引戸３を吊持するため、３本のレール部材２が、水平且つハンガー引戸３の走行方向に平行な方向に並設されている。なお、支柱部材６ｂの上面には、引戸装置１の上部を隠すための庇部材７が取り付けられている。
【００１９】
ハンガー引戸３は、引戸本体３ａと、その引戸本体３ａの上面に接続部材３ｂ1を介して取り付けられている吊車３ｂと、引戸本体３ａの下面にブラケット３ｃ1を介して取り付けられているブラシ３ｃ2付き装入部３ｃとを有している。本実施形態では、３枚のハンガー引戸３が前記３本のレール部材２に対してそれぞれ吊持されている。吊車３ｂは、１つの引き戸本体３ａに対して左右に間隔を存して２個取り付けられている。また、装入部３ｃも、１つの引き戸本体３ａに対して左右に間隔を存して２個取り付けられている。ブラシ３ｃ2は、ブラシ毛が装入部３ｃの下面に対して植設されることにより構成される。このブラシ３ｃ2により、ハンガー引戸３を走行させたときに、後述する溝部４ａ内のゴミ等が掃き出される。なお、図１に示すように、ハンガー引戸３の走行領域の左右には側方支柱部材６ｅがそれぞれ立設されている。
【００２０】
溝部材４は、前記ハンガー引戸３の装入部３ｃが装入されるものであり、上面が床面Ｆと一致するように埋設されている。本実施形態では、３枚のハンガー引戸３の装入部３ｃをそれぞれ装入できるように、溝部材４にハンガー引戸３の走行方向に沿う互いに平行な３本の溝部４ａが設けられている。この溝部４ａに対してハンガー引戸３の装入部３ｃが装入されることにより、ハンガー引戸３の走行の際の横ぶれが防止される。
【００２１】
ダスト受け部材５は、その装着状態において、図３に示すように、前記溝部材４の左端に連設されている。ダスト受け部材５は、前記側方支柱部６ｅの凹形状に対応した形状の底面５ａと、その底面５ａの左端から上方に延びる左側部５ｂと、底面５ａの前端及び後端からそれぞれ上方に延びる前側部５ｃ及び後側部５ｄと、これら前側部５ｃ及び後側部５ｄの上端からそれぞれ前方及び後方に延びるフランジ部５ｃ1、５ｄ1と、これらフランジ部５ｃ1、５ｄ1の前端及び後端から上方に延びる摘み部５ｃ2、５ｄ2とで構成されている。ダスト受け部材５の底面５ａ、左側部５ｂ、前側部５ｃ及び後側部５ｄで囲まれた空間はダスト受け部を構成しており、溝部材４の溝部４ａに連通して溝部４ａからのゴミ等を受けて溜めるようになっている。このダスト受け部材５は、床面Ｆに対して着脱自在となっている。そのため、ダスト受け部にゴミ等が溜まったところで、摘み部５ｃ2、５ｄ2を摘んで床面Ｆから離脱させ、簡単にゴミ等を廃棄することができる。本実施形態では、溝部材４が３本の溝部４ａを有しているが、その全てとダスト受け部材５のダスト受け部が連通している。
【００２２】
なお、上記実施形態では、ダスト受け部材５の底面５ａが、床面Ｆへの装着状態において、水平となるように形成されているが、本発明はこれに限定されるものではない。例えば、図４に示すように、ダスト受け部材５の底面５ａの鉛直方向の高さが、床面Ｆへの装着状態において、溝部４ａとの接続方向からその反対方向（左側部５ｂ方向）に向かって低くなるように形成しても良い。これによれば、前記ブラシ３ｃ2によって溝部４ａ内が掃かれ、あるいは溝部４ａの中を箒等で掃き、ダスト受け部にゴミ等が溜まった場合に、そのゴミ等が溝部４ａ方向に逆流しにくい。
【００２３】
また、上記実施形態では、各ハンガー引戸３が互いに独立して走行するタイプの引戸装置１について説明したが、本発明はこれに限定されるものではなく、例えば、引き違い戸や連動戸といった様々なタイプの引戸に対して適用することができる。
【００２４】
なお、本発明は上記実施形態に限定されるものではなく、必要に応じて種々変更することが可能である。
【図面の簡単な説明】
【００２５】
【図１】本発明の実施の形態に係る引戸装置を示す正面図
【図２】本発明の実施の形態に係る引戸装置を示す側面から見た断面図
【図３】本発明の実施の形態に係るダスト受け部材が装着されている状態を示す斜視図
【図４】他の実施の形態に係るダスト受け部材を示す斜視図
【符号の説明】
【００２６】
３       ハンガー引戸
３ｃ     装入部
３ｃ2    ブラシ
４       溝部材
５       ダスト受け部材
【図１】
0003110612.tif 000003
【図２】
0003110612.tif 000004
【図３】
0003110612.tif 000005
【図４】
0003110612.tif 000006
【手続補正書】
【提出日】平成17年3月17日(2005.3.17)
【手続補正１】
【補正対象書類名】実用新案登録請求の範囲
【補正対象項目名】全文
【補正方法】変更
【補正の内容】
【実用新案登録請求の範囲】
【請求項１】
ハンガー引戸の底部に設けられた装入部が装入される、床面に設けられた下溝の構造であって、
該下溝は、引戸の走行方向に沿う溝部を有する溝部材と、該溝部材の少なくとも一方の端部に連設され、溝部材の溝部に連通して溝部からのダストを受けるダスト受け部を有するダスト受け部材とで構成されており、
該ダスト受け部材が床面に対して着脱自在であることを特徴とするハンガー引戸の下溝構造。
【請求項２】
上記ダスト受け部の底面の鉛直方向の高さが、溝部との接続方向からその反対方向に向かって低くなるように形成されていることを特徴とする請求項１に記載のハンガー引戸の下溝構造。
【請求項３】
上記溝部材が互いに平行な複数の溝部を有しており、上記ダスト受け部材のダスト受け部は、溝部材の全ての溝部に連通していることを特徴とする請求項１または請求項２に記載のハンガー引戸の下溝構造。
【請求項４】
請求項１〜３のいずれか１項に記載されている構造の下溝に装入される装入部を備えたハンガー引戸であって、上記装入部には、下溝内に装入される装入ブラシが設けられており、ハンガー引戸を走行させた場合に該装入ブラシによって下溝内が掃き出されることを特徴とするハンガー引戸。